(57)【要約】【課題】  豚糞尿や人糞尿等をウォラストナイトと硫酸との反応によって固形化または粒状化し、臭気を改善することができるとともに有効微生物による発酵すなわち堆肥化を処理量の多い実際的レベルにおいても確実に行うことができるようにする。【解決手段】  堆肥製造装置Ａは、糞尿供給装置６と、ウォラストナイト供給装置７と、濃硫酸供給装置８と、糞尿とウォラストナイトを混合・攪拌する糞尿攪拌装置１、１ａと、糞尿攪拌装置１、１ａで混合・攪拌した混合物とタンクから供給された濃硫酸を混合・攪拌し反応させる糞尿反応機２と、鶏糞とタンクから供給されたウォラストナイトを混合・攪拌し、更にその混合物に濃硫酸を混合・攪拌し反応させる鶏糞反応機３と、糞尿反応機２と鶏糞反応機３でそれぞれ混合・攪拌された混合物に有効微生物を加えて発酵させる発酵装置を備えている。【選択図】        図１
2004244305.tif 000002
【特許請求の範囲】
【請求項１】
豚糞尿または人糞尿にウォラストナイトと濃硫酸を混合し反応させて固化または粒状化したものに、更に鶏糞にウォラストナイトと濃硫酸を混合し反応させて固化または粒状化したものを混合し、当該混合物を培地として有効微生物を加え発酵させることを特徴とする、
堆肥製造または糞尿の処理方法。
【請求項２】
豚糞尿または人糞尿１００重量部に対し、ウォラストナイト１０〜２５重量部と濃硫酸５〜１５重量部を混合し反応させて固化または粒状化した混合物１００重量部と、更に鶏糞にウォラストナイトと濃硫酸を混合し反応させて固化または粒状化した混合物を１５重量部以上混合し、当該混合物を培地として有効微生物を加えて発酵させることを特徴とする、
堆肥製造または糞尿の処理方法。
【請求項３】
豚糞尿または人糞尿に鶏糞を混合し、更にウォラストナイトと濃硫酸を混合し反応させて固化または粒状化したものを培地として有効微生物を加え発酵させることを特徴とする、
堆肥製造または糞尿の処理方法。
【請求項４】
亜鉛(Zn)、マンガン(Mn)、モリブデン(Mo)、マグネシウム(Mg)、銅(Cu)、鉄(Fe)のうち、選ばれた１または２以上を添加することを特徴とする、
請求項１、２または３記載の堆肥製造または糞尿の処理方法。
【請求項５】
豚糞尿または人糞尿とウォラストナイトを混合・攪拌する手段と、
当該手段で混合・攪拌した混合物と濃硫酸を混合・攪拌し反応させる手段と、
鶏糞とウォラストナイトを混合・攪拌し、更にその混合物に濃硫酸を混合・攪拌し反応させる手段と、
を備えていることを特徴とする、
堆肥製造または糞尿の処理装置。
【請求項６】
豚糞尿または人糞尿を供給する糞尿供給装置と、
ウォラストナイトを供給するウォラストナイト供給装置と、
濃硫酸を供給する濃硫酸供給装置と、
供給された豚糞尿または人糞尿とウォラストナイトを混合・攪拌する糞尿攪拌装置と、
糞尿攪拌装置で混合・攪拌した混合物と供給された濃硫酸を混合・攪拌し反応させる糞尿反応機と、
鶏糞とウォラストナイトを混合・攪拌し、更にその混合物に濃硫酸を混合・攪拌し反応させる鶏糞反応機と、
を備えていることを特徴とする、
堆肥製造または糞尿の処理装置。
【請求項７】
糞尿反応機と鶏糞反応機でそれぞれ混合・攪拌されたものの混合物に有効微生物を加えて発酵させる発酵装置を備えていることを特徴とする、
請求項５または６記載の堆肥製造または糞尿の処理装置。
【請求項８】
堆肥製造または糞尿の処理にあたって、糞尿にウォラストナイトを混合し、その混合物と濃硫酸を混合して反応させるものに使用するものであって、
攪拌した混合物と濃硫酸を混合したものを攪拌しながら搬送するスクリューコンベヤを備えており、濃硫酸を混合する部分はスクリューコンベヤの搬送基部側または搬送基部側に通じる混合物の送給経路に設けられていることを特徴とする、
糞尿反応機。
【請求項９】
堆肥製造または糞尿の処理にあたって、糞尿にウォラストナイトを混合し、その混合物と濃硫酸を混合して反応させるものに使用するものであって、
少なくとも複数設けられている糞尿攪拌装置と連通し、各糞尿攪拌装置へウォラストナイトを選択的に供給するとともに供給する部分から糞尿攪拌装置内の臭気が外部へ漏れないようにしたことを特徴とする、
分給装置。
【請求項１０】
豚糞尿または人糞尿にウォラストナイトと濃硫酸を混合し反応させて固化または粒状化したものに、更に鶏糞にウォラストナイトと濃硫酸を混合し反応させて固化または粒状化したものを混合し、当該混合物を培地として有効微生物を加え発酵させたことを特徴とする、
堆肥。
【発明の詳細な説明】
【技術分野】
【０００１】
本発明は堆肥製造または糞尿の処理方法、装置及び堆肥に関するものである。
更に詳しくは、ケイ素を含むウォラストナイトを使用する堆肥製造において、有効微生物による発酵すなわち堆肥化が確実に行われ、特に豚糞尿または人糞尿の処理を効率的に行うことができる堆肥製造（方法）または糞尿の処理方法、装置及びそれによりつくられた堆肥に関する。
【背景技術】
【０００２】
ケイ素(Si)は多くの植物の細胞壁に集積しており、植物にとって重要な元素の一つであることはよく知られているところである。
本発明者が住む沖縄県では、サトウキビの収穫量が年々少なくなっている。これは、土壌が化学肥料や除草剤等で汚染されていることはもとより、大量のケイ素がその他の微量元素と共に土壌から流出したり作物によって持ち出されるために土壌中に不足しており、全体的に地力が低下していることが原因であると思われる。
【０００３】
事実、サトウキビの絞り滓を燃料として使用するボイラ等の施設では、燃焼炉内に白いケイ酸が大量に付着し、除去作業が必要になるほどである。このことからも、作物による土壌中のケイ素の持ち出しが無視できない量であることは容易に想像できる。このような地力の低下した土壌で作物を栽培しても、茎が太くならず、葉も大きくならないので、十分な収穫も得られない。
【０００４】
しかし、ケイ素が土壌中に不足しているからといって、無機物であるケイ素を例えばケイ藻土を粉体とした状態で単純に土壌中に混ぜたのでは作物は十分に吸収することができない。ケイ素を作物に吸収させるには、イオン化したケイ素を土壌中に存在させる必要がある。
【０００５】
本発明者は、これを実現するために長年研究を重ねた。そして、ケイ素と有機物を混ぜ、更に濃硫酸と反応させることによってケイ素のイオン化を促進でき、これを堆肥化して施肥すると地力の回復に効果があることが実験的にわかった。
【０００６】
ところで、沖縄では豚の飼育頭数が多く、豚糞尿の処理が大きな問題となっている。豚糞尿は有機物であり、本発明者はこの豚糞尿に着目した。
なお、糞尿の処理をするために、従来から実に様々な方法が提案され実施されてきたが、ケイ素を含むウォラストナイトを使用して有機質肥料を得る方法はすでに提案されている（特許文献１参照）。
【０００７】
【特許文献１】特開平１０−１５２３８５号公報
【０００８】
特許文献１に記載された有機質肥料の製造方法によれば、含水率の高い畜糞尿等の廃液を、天然ウォラストナイトと硫酸との反応によってごく短時間で（または瞬時に）固形化または粒状化でき、臭気が改善され、更に反応熱によって雑菌のほとんどが死滅するので、後に有効微生物を加えて行う肥料化（堆肥化）も容易にできる。
【発明の開示】
【発明が解決しようとする課題】
【０００９】
本発明者は、豚糞尿や人糞尿を使用して上記した特許文献１記載の有機質肥料の製造方法で堆肥ができるかどうか確認したところ、少なくとも糞尿を大量に処理する実際的レベルでは、有効微生物を加えて四ヶ月経過しても発酵せず、堆肥をつくることができないことを知見した。
そこで、本発明者は、発酵させる為に数々の実験を試みた結果、鶏糞を添加すれば、上記方法でも発酵することを知見した。その理由は明らかではないが、鶏糞の成分が有効微生物の発酵活動に関与しているものと思われる。
本発明はこの知見に基づいて完成したものである。
【００１０】
（本発明の目的）
本発明の目的は、含水率の高い糞尿をウォラストナイトと硫酸との反応によってごく短時間で固形化または粒状化し、臭気を改善することができるとともに有効微生物による発酵、すなわち堆肥化を処理量の多い実際的レベルにおいても確実に行うことができる堆肥製造方法を提供することである。
また、本発明の他の目的は、豚糞尿または人糞尿を処理して堆肥を効率よく製造することができる糞尿の処理方法を提供することである。
更に本発明の他の目的は、上記方法を実施するための堆肥製造または糞尿の処理装置を提供することである。
更にまた本発明の他の目的は、土壌の地力を向上させることにより、良質の作物を育成でき、収穫量も増やすことができる堆肥を提供することである。
【課題を解決するための手段】
【００１１】
上記課題を解決するために講じた本発明の手段は次のとおりである。
第１の発明にあっては、
豚糞尿または人糞尿にウォラストナイトと濃硫酸を混合し反応させて固化または粒状化したものに、更に鶏糞にウォラストナイトと濃硫酸を混合し反応させて固化または粒状化したものを混合し、当該混合物を培地として有効微生物を加え発酵させることを特徴とする、
堆肥製造または糞尿の処理方法である。
【００１２】
第２の発明にあっては、
豚糞尿または人糞尿１００重量部に対し、ウォラストナイト１０〜２５重量部と濃硫酸５〜１５重量部を混合し反応させて固化または粒状化した混合物１００重量部と、更に鶏糞にウォラストナイトと濃硫酸を混合し反応させて固化または粒状化した混合物を１５重量部以上混合し、当該混合物を培地として有効微生物を加えて発酵させることを特徴とする、
堆肥製造または糞尿の処理方法である。
【００１３】
第３の発明にあっては、
豚糞尿または人糞尿に鶏糞を混合し、更にウォラストナイトと濃硫酸を混合し反応させて固化または粒状化したものを培地として有効微生物を加え発酵させることを特徴とする、
堆肥製造または糞尿の処理方法である。
【００１４】
第４の発明にあっては、
亜鉛(Zn)、マンガン(Mn)、モリブデン(Mo)、マグネシウム(Mg)、銅(Cu)、鉄(Fe)のうち、選ばれた１または２以上を添加することを特徴とする、
第１、第２または第３の発明に係る堆肥製造または糞尿の処理方法である。
【００１５】
第５の発明にあっては、
豚糞尿または人糞尿とウォラストナイトを混合・攪拌する手段と、
当該手段で混合・攪拌した混合物と濃硫酸を混合・攪拌し反応させる手段と、
鶏糞とウォラストナイトを混合・攪拌し、更にその混合物に濃硫酸を混合・攪拌し反応させる手段と、
を備えていることを特徴とする、
堆肥製造または糞尿の処理装置である。
【００１６】
第６の発明にあっては、
豚糞尿または人糞尿を供給する糞尿供給装置と、
ウォラストナイトを供給するウォラストナイト供給装置と、
濃硫酸を供給する濃硫酸供給装置と、
供給された豚糞尿または人糞尿とウォラストナイトを混合・攪拌する糞尿攪拌装置と、
糞尿攪拌装置で混合・攪拌した混合物と供給された濃硫酸を混合・攪拌し反応させる糞尿反応機と、
鶏糞とウォラストナイトを混合・攪拌し、更にその混合物に濃硫酸を混合・攪拌し反応させる鶏糞反応機と、
を備えていることを特徴とする、
堆肥製造または糞尿の処理装置である。
【００１７】
第７の発明にあっては、
糞尿反応機と鶏糞反応機でそれぞれ混合・攪拌されたものの混合物に有効微生物を加えて発酵させる発酵装置を備えていることを特徴とする、
第５または第６の発明に係る堆肥製造または糞尿の処理装置である。
【００１８】
第８の発明にあっては、
堆肥製造または糞尿の処理にあたって、糞尿にウォラストナイトを混合し、その混合物と濃硫酸を混合して反応させるものに使用するものであって、
攪拌した混合物と濃硫酸を混合したものを攪拌しながら搬送するスクリューコンベヤを備えており、濃硫酸を混合する部分はスクリューコンベヤの搬送基部側または搬送基部側に通じる混合物の送給経路に設けられていることを特徴とする、
糞尿反応機である。
【００１９】
第９の発明にあっては、
堆肥製造または糞尿の処理にあたって、糞尿にウォラストナイトを混合し、その混合物と濃硫酸を混合して反応させるものに使用するものであって、
少なくとも複数設けられている糞尿攪拌装置と連通し、各糞尿攪拌装置へウォラストナイトを選択的に供給するとともに供給する部分から糞尿攪拌装置内の臭気が外部へ漏れないようにしたことを特徴とする、
分給装置である。
【００２０】
第１０の発明にあっては、
豚糞尿または人糞尿にウォラストナイトと濃硫酸を混合し反応させて固化または粒状化したものに、更に鶏糞にウォラストナイトと濃硫酸を混合し反応させて固化または粒状化したものを混合し、当該混合物を培地として有効微生物を加え発酵させたことを特徴とする、
堆肥である。
【００２１】
ウォラストナイト（Wallastonite：ケイ酸カルシウム：CaSiO3）は、天然のものでもよいし合成のものでもよい。
糞尿攪拌装置内の豚糞尿または人糞尿にあらかじめ所定の割合で鶏糞を混ぜておき、ウォラストナイトと濃硫酸を豚糞尿または人糞尿の処理の場合と同様に加えて処理してもよい。
また、本発明に係る方法、装置は、豚糞尿または人糞尿の処理だけではなく、他の種類の糞尿、あるいは焼酎等の酒類を製造する際に発生する滓等、様々な有機廃液の処理にも利用可能である。
【００２２】
豚糞尿または人糞尿１００重量部に対し、ウォラストナイトの混合割合は１０〜２５重量部であるが、望ましくは１５〜１８重量部である。また、同じく濃硫酸の混合割合は５〜１５重量部であるが、望ましくは８〜１０重量部である。
ウォラストナイトが１０重量部に満たないか濃硫酸が５重量部に満たないと固化または粒状化が十分に行われず、反応温度も低く雑菌が残ってしまう。
また、ウォラストナイトが２５重量部を超えるか濃硫酸が１５重量部を超えても固化または粒状化の程度や反応温度にほとんど違いはないのでウォラストナイトや濃硫酸が過剰な分だけ無駄になる。また、ウォラストナイトが２５重量部を超えると固くなりすぎて処理が困難になる。
【００２３】
更に、鶏糞にウォラストナイトと濃硫酸を混合し反応させて固化または粒状化したものの混合割合は１５重量部以上であるが、１５重量部に満たないと有効微生物を入れても発酵が十分に行われない。
鶏糞１００重量部に対し、ウォラストナイトの混合割合は５〜１２重量部であるが、望ましくは７〜１０重量部である。また、同じく濃硫酸の混合割合は３〜８重量部であるが、望ましくは５〜６重量部である。
ウォラストナイトが５重量部に満たないか濃硫酸が３重量部に満たないと固化または粒状化が十分に行われず、反応温度も低く雑菌が残ってしまう。
また、ウォラストナイトが１２重量部を超えるか濃硫酸が８重量部を超えても固化または粒状化の程度や反応温度にほとんど違いはないのでウォラストナイトや濃硫酸が過剰な分だけ無駄になる。また、ウォラストナイトが１２重量部を超えると固くなりすぎて処理が困難になる。
【００２４】
混合物を発酵させる有効微生物（発酵菌）としては、好気性と嫌気性の微生物、例えば乳酸菌群（ビフィズス菌など）、酵母菌群（こうじ菌など）、光合成細菌群（クロレラ菌など）、発酵系の糸状菌群、グラム陽性の放線菌群等が挙げられるが、これらに限定するものではない。
【００２５】
（作用）
本発明に係る堆肥製造または糞尿の処理装置は、次のように作用する。
処理対象である豚糞尿または人糞尿と鶏糞をタンク等の貯留部に適量貯留しておく。また、ウォラストナイトと濃硫酸もタンク等の貯留部に適量貯留しておく。そして、例えばウォラストナイトに適量の亜鉛(Zn)、マンガン(Mn)、モリブデン(Mo)、マグネシウム(Mg)、銅(Cu)、鉄(Fe)のうち、選ばれた１または２以上を添加しておく。
【００２６】
豚糞尿または人糞尿を糞尿攪拌装置に投入または送給する。糞尿攪拌装置内に適量貯留したところでウォラストナイトを所定の割合で配合し、混合・攪拌する。
糞尿攪拌装置で混合・攪拌した混合物に濃硫酸を混合し糞尿反応機内で攪拌し反応させる。
この反応（ウォラストナイトと濃硫酸の反応）により、混合物はごく短時間で固化または粒状化し、併せて糞尿特有の臭気も改善される。また、反応熱が生じ、混合物の温度は７５〜８５℃になり、混合物に存在していた病原菌等の有害菌を含む雑菌はほとんどが死滅する。
【００２７】
一方、鶏糞を鶏糞反応機に投入または送給する。鶏糞を鶏糞反応機内に適量貯留したところでウォラストナイトを所定の割合で配合し、混合・攪拌する。
更に、その混合物に濃硫酸を混合し鶏糞反応機内で攪拌し反応させる。この反応により、混合物は豚糞や人糞の場合と同様に固化または粒状化し、臭気も改善され、反応熱によって雑菌が死滅する。
【００２８】
豚糞尿または人糞尿からつくった混合物と鶏糞からつくった混合物が適当な温度（有効微生物が繁殖できる温度）まで冷却されたところでそれらを混合し、有効微生物を加えて発酵槽によって所定の期間発酵させ、堆肥化する。なお、混合した後で冷却してもよい。
各混合物には病原菌等の有害菌を含む雑菌がほとんど存在しないので、添加された有効微生物が十分に活性化し、良質な堆肥を効率よくつくることができる。
なお、混合したものの発酵槽への搬送は、例えばスクリューコンベヤやベルトコンベヤ等の各種コンベヤを使用したり、輸送コンテナ等の容器を天井クレーンを使用して搬送する等して行われる。
【００２９】
攪拌した混合物と濃硫酸を混合したものを攪拌しながら搬送するスクリューコンベヤを備えており、濃硫酸を混合する部分はスクリューコンベヤの搬送基部側または搬送基部側に通じる混合物の送給経路に設けられている糞尿反応機によれば、濃硫酸を混合するために注入圧等の圧力はほとんど必要ないので装置を簡易化できる。
すなわち、スクリューコンベヤの搬送基部側または搬送基部側に通じる混合物の送給経路は、スクリューの回転で混合物が搬送後部側（排出側）へ連続的に移動することにより負圧になる部分である。このため、濃硫酸は吸い込まれるように効率的に混合される。
【００３０】
更には、濃硫酸がスクリューコンベヤの搬送基部（搬送前部）で混合されることにより、混合物は搬送後部（出口側）に送られるまでには十分に攪拌されることになり、ウォラストナイトと濃硫酸は比較的早い反応を示すが、全体的にほぼ均一な固化と粒状化が可能である。これにより、効率的な堆肥製造または糞尿の処理が可能になる。
【００３１】
少なくとも糞尿攪拌装置が複数設けられており、各糞尿攪拌装置へウォラストナイトを選択的に供給するとともに供給する部分から糞尿攪拌装置内の臭気が外部へ漏れないようにした分給装置によれば、例えば一方の糞尿攪拌装置で攪拌処理等を行っているときに他方の糞尿攪拌装置に糞尿とウォラストナイトを送給して次の作業の準備を行うことができる。これにより、効率的な堆肥製造が可能になる。また、豚糞尿や人糞尿を有効に処理できる。
また、生の豚糞尿や人糞尿の臭気が実質的に外部に漏れないので、悪臭により作業環境が悪化することや周辺地域に迷惑がかかることも防止できる。
【発明の効果】
【００３２】
本発明は上記構成を備え、次の効果を有する。
（ａ）本発明によれば、豚糞または人糞を処理した混合物に鶏糞を処理した混合物を所定の割合で混ぜて発酵させることにより、良好な状態で発酵が進み、良質な堆肥を効率よくつくることができる。
すなわち、含水率の高い糞尿をウォラストナイトと硫酸との反応によってごく短時間で固形化または粒状化し、臭気を改善することができるとともに有効微生物による発酵すなわち堆肥化を処理量の多い実際的レベルにおいても確実に行うことができ、例えば豚糞尿または人糞尿等の糞尿を処理して、結果、堆肥を効率よくつくることができる。
【００３３】
（ｂ）攪拌した混合物と濃硫酸を混合したものを攪拌しながら搬送するスクリューコンベヤを備えており、濃硫酸を混合する部分はスクリューコンベヤの搬送基部側または搬送基部側に通じる混合物の送給経路に設けられている糞尿反応機によれば、濃硫酸を混合するために注入圧等の圧力はほとんど必要ないので装置を簡易化できる。
すなわち、スクリューコンベヤの搬送基部側または搬送基部側に通じる混合物の送給経路は、スクリューの回転で混合物が搬送後部側（排出側）へ連続的に移動することにより負圧になる部分である。このため、濃硫酸は吸い込まれるように効率的に混合される。
更には、濃硫酸がスクリューコンベヤの搬送基部（搬送前部）で混合されることにより、混合物は搬送後部（出口側）に送られるまでには十分に攪拌されることになり、ウォラストナイトと濃硫酸は比較的早い反応を示すが、全体的にほぼ均一な固化と粒状化が可能である。これにより、効率的な堆肥製造及び糞尿の処理が可能になる。
【００３４】
（ｃ）少なくとも糞尿攪拌装置が複数設けられており、各糞尿攪拌装置へウォラストナイトを選択的に供給するとともに供給する部分から糞尿攪拌装置内の臭気が外部へ漏れないようにした分給装置によれば、例えば一方の糞尿攪拌装置で攪拌処理等を行っているときに他方の糞尿攪拌装置に糞尿とウォラストナイトを送給して次の作業の準備を行うことができる。これにより、効率的な堆肥製造及び糞尿の処理が可能になる。
また、生の豚糞尿や人糞尿の臭気が実質的に外部に漏れないので、悪臭により作業環境が悪化することや周辺地域に迷惑がかかることも防止できる。
【００３５】
（ｄ）本発明に係る堆肥によれば、土壌の地力を向上させることができるので、良質の作物を育成でき、収穫量も増やすことができる。
【発明を実施するための最良の形態】
【００３６】
本発明を図面に示した実施の形態に基づき更に詳細に説明する。
なお、本実施の形態においては、堆肥製造の場合について説明をしているが、糞尿の処理の場合も同様にして処理できる。
図１は本発明に係る堆肥製造装置の一実施の形態を示す概略平面図、
図２は堆肥製造装置の一実施の形態を示す概略側面図である。
堆肥製造装置を構成する発酵装置４は、便宜上、図１３に表している。
図１、図２において、糞尿反応機２は、便宜上、フレーム９の外側に表している。図２においては、ウォラストナイト供給装置７の一部及び濃硫酸供給装置８の図示は省略している。
【００３７】
図３は糞尿攪拌装置の構造を示す正面視断面説明図、
図４は糞尿攪拌装置の構造を示す平面視説明図、
図５は糞尿攪拌装置の構造を示す側面視説明図、
図６は図３におけるＡ−Ａ部分断面図である。
【００３８】
図７は二基の糞尿攪拌装置にウォラストナイトを選択的に投入するロータリーバルブ装置の一部断面説明図、
図８は糞尿反応機の構造を示す断面説明図である。
【００３９】
図９は鶏糞反応機の構造を示す正面視断面説明図、
図１０は鶏糞反応機の構造を示す平面視断面説明図、
図１１は鶏糞反応機の構造を示す側面視断面説明図、
図１２は鶏糞反応機の取り出し蓋の開閉構造を示す説明図である。
また、図１３は本実施の形態に係る堆肥製造装置を含む堆肥製造プラントの概略を示す平面図である。
【００４０】
本実施の形態に係る堆肥製造装置Ａは、図１、図３に示すように、糞尿供給装置６、ウォラストナイト供給装置７、濃硫酸供給装置８、糞尿（豚糞尿または人糞尿）とウォラストナイトを混合・攪拌する糞尿攪拌装置１、１ａ、糞尿攪拌装置１、１ａで混合・攪拌した混合物とタンクから供給された濃硫酸を混合・攪拌し反応させる糞尿反応機２、鶏糞とタンクから供給されたウォラストナイトを混合・攪拌し、更にその混合物に濃硫酸を混合・攪拌し反応させる鶏糞反応機３、糞尿反応機２と鶏糞反応機３でそれぞれ混合・攪拌された混合物に有効微生物を加えて発酵させる発酵装置４（図１３参照）を備えている。
なお、堆肥製造装置Ａの上記各部は、腐蝕しにくいように主にステンレススチール、または他の腐蝕しにくい金属、防錆処理を施した金属等でつくられているが、合成樹脂等、他の素材を複合して用いることもできる。
【００４１】
（糞尿攪拌装置１、１ａ）
図３ないし図７を主に参照する。
糞尿攪拌装置１、１ａはフレーム９の内部側の上部に設けてある。糞尿攪拌装置１、１ａには、糞尿供給装置６から糞尿が供給され、ウォラストナイト供給装置７からウォラストナイトが供給される。糞尿供給装置６とウォラストナイト供給装置７（いずれも図１に図示）については後で説明する。
【００４２】
フレーム９は、四隅に支柱９０を有し、それら支柱９０を連結部材９１で縦横に連結し、底部には底板９４を設けた構造である。各支柱９０の上端部には、各支柱９０を囲むように作業足場９２が設けてある。作業足場９２の周囲には、手摺り９３が設けてある。
【００４３】
糞尿攪拌装置１、１ａは、それぞれ攪拌タンク１０と、攪拌タンク１０に設けてある攪拌機１２とを有している。
各攪拌タンク１０は、上部側の連結部材９１に固定して同じ高さに並設されている。なお、糞尿攪拌装置１、１ａは、ほぼ同様の構造を有しているので、詳細な構造については、図３において右側に図示し内部構造を表した糞尿攪拌装置１で説明する。また、糞尿攪拌装置１ａの各部には、糞尿攪拌装置１の各部と同じ符号を付して示す。
【００４４】
攪拌タンク１０は、円筒形で上部と下部が本質的に密閉された（各導入口、排出口は除く）タンクである。
攪拌タンク１０の上面板１０１の内側（他方の攪拌タンク１０側）には、タンク内部にウォラストナイトを供給するための後述する連結管１１２を接続する導入管１０２が設けてある。また、その反対側には、タンク内を見るための、あるいはメンテナンスを行うための開閉可能なハッチ１０３が設けてある。
また、上面板１０１の中央部には、後述する攪拌機１２を設けるための取付管１０４が設けてある。
【００４５】
攪拌タンク１０の底面板１０５の中央部には排出管１０６が設けてあり、排出管１０６には、バルブ１０７を介在させて送給管１０８が接続されている。
なお、送給管１０８は、他方の糞尿攪拌装置１ａの送給管１０８と接続合流させてあり、後述する糞尿反応機２に供給管１０９によってつながれている。
【００４６】
攪拌機１２は、モータ１２０を有している。モータ１２０は取付管１０４に固定されており、その回転軸１２１は下方垂直方向へ延長されている。回転軸１２１の下端部は、底面板１０５よりやや上方に位置している。回転軸１２１の下端部には、四枚羽根の攪拌スクリュー１２２が設けてある。
【００４７】
また、攪拌スクリュー１２２の外側には、円筒形状の攪拌制御体１２３が攪拌スクリュー１２２を囲うように設けてある。攪拌スクリュー１２２は、攪拌制御体１２３の下部側に位置し、その先端部は攪拌制御体１２３に接触しないように間隔が設けてある。攪拌制御体１２３は、上記攪拌タンク１０の側面板１１０にステー１１１によって固定してある。
【００４８】
なお、攪拌スクリュー１２２は糞尿を上方向へ送るように回転するようにしてあるので、攪拌効率をよくするためには攪拌スクリュー１２２の高さを下側に位置させるのが望ましいが、その高さを限定するものではない。
【００４９】
上記攪拌制御体１２３によれば、攪拌制御体１２３の側壁を境にして内側と外側とでは攪拌時における糞尿の流れが相互に干渉しにくく、内側の流れが上方へ向き、外側の流れが下方へ向く。すなわち、攪拌制御体１２３を設けない場合のように攪拌スクリュー１２２の回転によって糞尿全体が回ってしまうことがなく、攪拌が確実に行われる利点がある。
【００５０】
図１を参照する。
糞尿供給装置６は、密閉型の糞尿タンク６０を有している。糞尿タンク６０と上記各攪拌タンク１０間には、糞尿タンク６０内部の糞尿を各攪拌タンク１０へ送給するための送給管６１が設けてある。送給管６１の経路中には、ポンプ（図示省略）が設けてある。また、糞尿タンク６０内部の臭気は、ブロワ６５０を有する送給管６５を通り、後述する発酵装置４の発酵槽４０底部へ送られるようにしてある。
なお、送給管６１の各攪拌タンク１０側は、切替バルブ６２を介在させて分岐されており、分岐した送給管６３、６４はそれぞれ各攪拌タンク１０の上部に導入されている。
【００５１】
ウォラストナイト供給装置７は、密封型のウォラストナイトタンク７０と、攪拌タンク１０の上部に設けてある分給装置７２を有している。
ウォラストナイトタンク７０は、下部側が漏斗状に形成されておりウォラストナイトの排出を容易にしている。ウォラストナイトタンク７０の底部に設けてある排出部には、粉状のウォラストナイトを送給するための送給コンベヤ７１が接続されている。送給コンベヤ７１の端部は上記分給装置７２に導入されている。
【００５２】
なお、ウォラストナイトは、処理する糞尿の量（攪拌タンク１０内に溜められた量）に対して予め決められた量を混合する必要がある。このため、ウォラストナイト供給装置７は、送給するウォラストナイトを計量する計量手段を備えている。
【００５３】
この計量手段としては、例えばウォラストナイトタンク７０を支える部分（例えば脚フレーム等）に重量センサを設け、ウォラストナイトを含むウォラストナイトタンク７０全体の重量を量ることによって、送給したウォラストナイトの量を求めて送給量の制御に反映させる方式等が採用できるが、これに限定するものではない。
【００５４】
また、ウォラストナイトタンク７０にはいわゆるホッパーブリッジ（排出口近傍の貯留物に空洞部ができて排出が困難になる現象）を防止する手段を設けることができる。この手段については特に限定するものではなく、例えば1.バイブレータを備えて振動で貯留物を崩すものや、2.内部にエアを噴出させて風圧で貯留物を崩すもの、更には3.内面側にエア噴出口を覆って接離可能なように（揺動可能に）板体を設け、エアの風圧で板体を動かすとともに風圧との相乗作用で貯留物を崩すもの等、各種公知手段が採用できる。
【００５５】
図７、図３を主に参照する。
分給装置７２は、ウォラストナイトを下方へ落とすサイクロン７３の下部の排出管７３０に設けてある。サイクロン７３の上部には、導入されたウォラストナイトを内部で散らすブロワ７３１が設けてある。
分給装置７２は、各糞尿攪拌装置１、１ａへウォラストナイトを選択的に供給するとともに供給する部分から糞尿攪拌装置１、１ａ内の臭気が外部へ漏れないようにするものである。
【００５６】
分給装置７２は、ハウジング７２０を有している。ハウジング７２０は正面視で部分的に円弧形状の周壁７２１、７２２を有し、正面側と背面側は本質的に封鎖されている。周壁７２１、７２２以外の部分は、上部側の導入口７２３と下部両側の排出口７２４、７２５を構成している。
【００５７】
導入口７２３には、下方側がやや窄まった導入管７２３ａが設けてある。導入管７２３ａの上部はサイクロン７３の排出管７３０に接続してある。
また、排出口７２４、７２５には排出管７２４ａ、７２５ａが設けてある。排出管７２４ａ、７２５ａには、それぞれ下部側が「く」状に曲がった連結管１１２が接続されている。連結管１１２の下端部は、上記した各攪拌タンク１０の導入管１０２に接続されている。
【００５８】
上記ハウジング７２０の内側には、ハウジング７２０内面に接して摺動回転可能に切替弁７２６が設けてある。切替弁７２６は、周壁７２１（または周壁７２２）と同じ周長を有する短弁部７２６ａと、周壁７２１（または周壁７２２）と排出口７２４（または排出口７２５）を合わせた周長よりやや長い周長を有する長弁部７２６ｂを備えている。
【００５９】
切替弁７２６は、図７に示すように長弁部７２６ｂの上部約半分が周壁７２２に密接し、下部約半分が排出口７２５を塞ぎ、更に短弁部７２６ａが周壁７２１に密接した状態から、長弁部７２６ｂの上部約半分が周壁７２１に密接し、下部約半分が排出口７２４を塞ぎ、更に短弁部７２６ａが周壁７２２に密接した状態まで周方向へ回転（回動）可能である。
この切替弁７２６の回転（回動）により、導入側となる排出口７２４または排出口７２５を切り替えることができる。
【００６０】
切替弁７２６の内側には、回転弁７２７が設けてある。回転弁７２７は回転軸管７２７ａを有し、その外周部には周方向へ等間隔で弁板７２７ｂが五個所に設けてある。弁板７２７ｂは放射方向に設けられ、各々の先端部は切替弁７２６の長弁部７２６ｂ及び短弁部７２６ａの内面に密接摺動できるようにしてある。
【００６１】
この構造により、上部にある弁板７２７ｂ間に落ちたウォラストナイトを開いている排出口７２４または排出口７２５から下方の攪拌タンク１０へ導入できる。また、各弁板７２７ｂの先端部と長弁部７２６ｂ及び短弁部７２６ａの内面はほぼ密接しており、回転弁７２７が回転して弁板７２７ｂがどの位置にあっても、何れかの弁板７２７ｂがサイクロン７３と糞尿攪拌装置１、１ａの各攪拌タンク１０間の通気を遮断するようになっている。
【００６２】
従って、生の豚糞尿や人糞尿の臭気が実質的に各攪拌タンク１０の外部に漏れないので、悪臭により作業環境が悪化することや周辺地域に迷惑がかかることも防止できる。
なお、切替弁７２６の回動と回転弁７２７の回転は、図示していない制御手段により制御される。
【００６３】
（糞尿反応機２）
図８を主に参照する。図８（ａ）は全体の説明図、（ｂ）は分岐管の接続部構造を示す断面説明図である。
糞尿反応機２は、糞尿攪拌装置１、１ａの下方に設けてある。糞尿反応機２は水平に設けられたスクリューコンベヤ２０を有している。スクリューコンベヤ２０は円管２０１とスクリュー２０２を有し、スクリュー２０２はモータ２１により回転駆動される。円管２０１の先端部には接続管２６が設けてある。また、円管２０１は固定金具２５により底板９４に固定されている。
【００６４】
円管２０１の基部側の上部には導入管２２が設けてある。導入管２２の上部には、濃硫酸を導入する部分である硫酸導入管２３が接続されている。硫酸導入管２３は、上記糞尿攪拌装置１、１ａの排出側に設けられた供給管１０９と球形の継手２４を介し接続されている。
糞尿反応機２には、濃硫酸供給装置８（図１に図示）から濃硫酸が供給される。濃硫酸供給装置８は、濃硫酸タンク８０を有している。濃硫酸タンク８０と糞尿反応機２の硫酸導入管２３の間には送給管８１が設けてある。送給管８１の経路中には、ポンプ８２が設けてある。
【００６５】
送給管８１は、先部側が二方へ分岐した注入管８３につながれている。注入管８３の二本の分岐管８３０は、硫酸導入管２３の直径線上の二個所の側壁２３０を貫通し導入してある。そして、側壁２３０の内面側には、分岐管８３０の先端開口部をやや距離をおいて上方から覆い、更に下方側（送給方向側）を開口して邪魔板２３１が固着して設けてある（図８（ｂ）参照）。
【００６６】
この構造によれば、硫酸導入管２３を通り送給される糞尿攪拌装置１、１ａのいずれかの攪拌タンク１０から排出された混合物の圧力が分岐管８３０の先端開口部に作用しにくいので、濃硫酸の注入を特に強い圧力をかけなくても円滑に行うことができる。また、これにより濃硫酸の注入に圧力を加えるコンプレッサが必要でなくなる等、装置を簡易化でき、製造コストも安価に抑えることができる。
【００６７】
糞尿反応機２の先端部の接続管２６は、スクリューコンベヤ２７の基部側に接続されている。スクリューコンベヤ２７の先部側は斜め上方へ向け延長されており、糞尿攪拌装置１、１ａの後方に配置してある輸送用コンテナ５（図１、図２に図示）に上部から投下して収容できるようになっている。
なお、輸送用コンテナ５の下部には開閉可能な投下口（図示及び符号省略）を備えている。そして、所定の量の混合物が溜まると、混合物は後述する発酵槽４０にコンテナごと運ばれ、投入口から投入される。なお、混合物は発酵槽４０に入れる前に輸送用コンテナ５内で一定の養生期間をおくこともできる。
【００６８】
（鶏糞反応機３）
図９ないし図１２を主に参照する。鶏糞反応機３は糞尿攪拌装置１、１ａの後方（図１において上側）に配置してある。
鶏糞反応機３は、攪拌機３０とウォラストナイト供給装置３１と濃硫酸供給装置３２を備えている。
【００６９】
攪拌機３０は、上部が開口し両端部が封鎖された断面ほぼＵ字形で所要長さを有する攪拌槽３３を有している。攪拌槽３３は、前後左右四個所に設けられた支脚部材３４によって水平に支持されている。攪拌槽３３の上部の一方の長手方向縁部には、開口部を開閉できる蓋体３５が回動可能に取り付けてある。
なお、符号３５０は蓋体３５の開閉動作に抵抗を与えて急激な動きを防止するガスダンパーである。
【００７０】
攪拌槽３３の長手方向中央部の底部には、四角形の取出口３３０が設けてある。攪拌槽３３の外面側には、スライドすることによって取出口３３０を開閉できる蓋体３３１が設けてある。蓋体３３１は取出口３３０周囲の湾曲形状に沿うように湾曲して設けられている。蓋体３３１は、取出口３３０の両側に設けてあるガイド３３２に沿って図１１、１２における左右周動方向にスライド可能に設けてある。
【００７１】
蓋体３３１は、油圧シリンダ３３３により開閉される（エアシリンダを採用してもよい）。油圧シリンダ３３３のロッドヘッドは蓋体３３１に回動自在に軸支してある。また、シリンダ部も攪拌槽３３に固着された取付具３３４に回動自在に軸支してある。この構造によれば、油圧シリンダ３３３のロッドが伸縮（進退）することにより、蓋体３３１のスムーズな開閉移動が可能である。
【００７２】
攪拌槽３３の内底部には、スクリュー攪拌機３６が設けてある。スクリュー攪拌機３６は、攪拌槽３３の長手方向に軸受３６０を介し回転可能に軸支されたスクリュー３６１を有している。スクリュー３６１は、外周部の径が異なり螺旋方向も異なる二種類の羽根（個別の符号は省略）を有している。なお、径大側の羽根は外周部が攪拌槽３３の内底面にほぼ接するように回転する構造である。
この構造によれば、一方向に回転しながら処理物を図９、図１０において左右方向へ攪拌移動させて連続的な循環攪拌が可能であり、効率的な攪拌ができる。
【００７３】
スクリュー３６１には、攪拌槽３３の一端側に設けてある台部材３３５に取り付けられたモータ３６２の駆動力を減速機３６３とチェーン・スプロケットにより減速して伝える構造となっている。
【００７４】
上記ウォラストナイト供給装置３１は、ウォラストナイトタンク３１０を有している。ウォラストナイトタンク３１０の底部には、スクリューコンベヤ３１１の一端側がウォラストナイトを取り込むことができるように接続してある。スクリューコンベヤ３１１の他端側は、攪拌槽３３の開口部縁部に長手方向に沿って設けてある。また、開口部に対応する部分の管体（符号省略）の下部側には、複数の投入口（符号省略）が設けてある。
【００７５】
スクリューコンベヤ３１１の他端部は、攪拌槽３３の端部に位置しており、内部のスクリュー（図示省略）はモータ３１２により回転駆動される。なお、スクリューの軸及び羽根は柔軟性を有しフレキシブルであり、管体が湾曲した部分での回転も可能である。
また、攪拌槽３３内部の反応ガス等を含む臭気は、ブロワ３７０を有する送給管３７を通り、後述する発酵装置４の発酵槽４０底部へ送られるようにしてある。
【００７６】
上記濃硫酸供給装置３２は、ウォラストナイトタンク３１０の隣に設けてある濃硫酸タンク３２０を有している。濃硫酸タンク３２０と上記攪拌槽３３の一端側（図９、図１０で右側）の間には送給管３２１が設けてある。送給管３２１の経路中には、濃硫酸を送ることができるポンプ３２２が設けてある。ポンプ３２２により攪拌槽３３に濃硫酸を定量送ることができる。
【００７７】
（発酵装置４）
図１３を参照する。
図に示すように発酵装置４は、糞尿攪拌装置１、１ａと離れた箇所に設けてある。発酵装置４は、発酵槽４０と、発酵槽４０の側壁に沿って往復移動して内部の混合物を攪拌し、排出側へ送る移動攪拌装置４１を備えている。発酵槽４０内では、処理物とともに糞尿タンク６０と鶏糞反応機３から送られる臭気も一緒に発酵処理される。
なお、発酵槽４０と移動攪拌装置４１を有する発酵装置４は、公知のごく一般的な構造であるので、詳細な説明については省略する。
【００７８】
（作  用）
図１ないし図１３を参照して、堆肥製造装置と堆肥製造プラントの作用を説明する。
処理対象である豚糞尿または人糞尿を糞尿タンク６０に適量貯留しておく。鶏糞も必要に応じてタンク等の貯留部に適量貯留しておく。
また、ウォラストナイトをウォラストナイト７０に適量貯留し、濃硫酸も濃硫酸タンク８０に適量貯留しておく。ウォラストナイトには、適量（通常は微量でよい）の亜鉛(Zn)、マンガン(Mn)、モリブデン(Mo)、マグネシウム(Mg)、銅(Cu)、鉄(Fe)のうち、選ばれた１または２以上を添加しておく。これは、堆肥中に十分なミネラルを補給するためである。なお、通常は上記の全種類を添加するのが好ましいが、施肥する土壌の状態等に合わせて適宜選択したものを添加してもよい。また、その配合割合も適宜調整でき、特に限定はされない。
【００７９】
豚糞尿または人糞尿を糞尿攪拌装置１、１ａの各攪拌タンク１０に選択的に送給する。各攪拌タンク１０内に適量貯留したところで、ウォラストナイトをウォラストナイト供給装置７の分給機７２によって一方の攪拌タンク１０または他方の攪拌タンク１０に供給する。ウォラストナイトは、糞尿１００重量部に対し、１５重量部の割合で配合し、攪拌機１２によって混合・攪拌する。
【００８０】
糞尿攪拌装置１または１ａで混合・攪拌した混合物をバルブ１０７を開けて糞尿反応機２へ送給する。
濃硫酸供給装置８により供給される濃硫酸は、糞尿反応機２の硫酸導入管２３に注入管８３により相対向する二方から注入される。濃硫酸は、糞尿１００重量部に対し、８重量部の割合で配合される。
濃硫酸が混じった混合物は更にスクリューコンベヤ２０へ送られ、円管２０１内においてスクリュー２０２で混合・攪拌されながら排出側へ送られる。
【００８１】
混合物と濃硫酸が混合・攪拌されることにより、混合物に混じっているウォラストナイトと濃硫酸が化学反応を起こす。
この反応により、混合物はごく短時間で固化または粒状化し、併せて糞尿特有の臭気も改善される。また、反応熱が生じ、混合物の温度は７５〜８５℃になり、混合物に存在していた病原菌等の有害菌を含む雑菌はほとんどが死滅する。
【００８２】
固化または粒状化された混合物は、スクリューコンベヤ２７によって輸送用コンテナ５へ送られ、適量が収容される。混合物が収容された輸送用コンテナ５は、後述するように鶏糞を処理した混合物を収容した後、天井レールに沿って移動可能なホイスト（図示省略）によって吊り上げられ、発酵槽４０まで運ばれる。
そして、下部の投下口を開けて両混合物を槽内に投下することができる。
【００８３】
一方、鶏糞反応機３に鶏糞を適量投入する。鶏糞を鶏糞反応機３内に適量収容したところで、ウォラストナイト供給装置３１のスクリューコンベヤ３１１で供給されたウォラストナイトを所定の割合で配合し、混合・攪拌する。
更に、その混合物に濃硫酸供給装置３２の送給管３２１で送られた濃硫酸を混合し、鶏糞反応機３の攪拌槽３３内で攪拌し反応させる。このウォラストナイトと濃硫酸との反応により、混合物は上記豚糞や人糞の場合と同様に固化または粒状化し、臭気も改善され、反応熱によって雑菌が死滅する。
なお、鶏糞とウォラストナイト及び濃硫酸の配合割合は、鶏糞１００重量部に対し、ウォラストナイト９重量部、濃硫酸６重量部であった。
【００８４】
上記鶏糞の処理が終わったら、油圧シリンダ３３３を作動させて蓋体３５を開け、取出口３３０から固化または粒状化した混合物を取り出し、上記輸送用コンテナ５に収容する。輸送用コンテナ５に収容される豚糞または人糞を処理した混合物と、鶏糞を処理した混合物との混合割合は、豚糞を処理した混合物１００重量部に対し、鶏糞を処理した混合物２０重量部である。
輸送用コンテナ５は天井クレーン（図示省略）で発酵装置４の発酵槽４０まで搬送される。
なお、鶏糞を処理した混合物は、必ずしも輸送用コンテナ５内で豚糞を処理した混合物に混ぜる必要はなく、発酵槽４０へ直接搬送して上記割合で混ぜるようにしてもよい。
【００８５】
発酵槽４０内で両混合物が自然冷却され、効微生物が繁殖できる温度まで冷却されたところで有効微生物を適量加える。そして、移動攪拌装置４１によって混合・攪拌して所定の期間発酵させ、堆肥化する。なお、混合物には上記したように病原菌等の有害菌を含む雑菌がほとんど存在しないので、添加された有効微生物が十分に活性化する。
また、豚糞または人糞を処理した混合物に鶏糞を処理した混合物を上記割合で混ぜて発酵させることにより良好な状態で発酵が進み、良質な堆肥ができる。
この理由は定かでないが、鶏糞に多く含まれる窒素か、あるいは鶏糞に多く含まれる蛋白質が濃硫酸で分解されてできるアミノ酸が有効微生物の活動に必要なエネルギーを補給しているためであろうと思われる。
なお、鶏糞を処理した混合物を混ぜないで豚糞または人糞を処理した混合物のみに有効微生物を加えて発酵させようと試みたが、試験期間である４ヶ月の間、発酵することがなかった。これに対し、鶏糞を処理した混合物を混ぜたものは、翌日から発酵が始まった。
【００８６】
上記方法で製造した堆肥の分析を行った。分析の結果は次の通り（表１参照）であった。
【００８７】
【表１】
2004244305.tif 000003
【００８８】
（実施例）
上記方法で製造した堆肥を実際に施肥して作物の栽培に対する効果を確認した。
その方法は次の通りである。まず、四箇所の圃場を確保した。各圃場内でそれぞれ施肥しない場所と施肥する場所を分け、各場所で同じ作物を作付けした。各圃場では、1.タンカン（台湾原産のミカン）、2.ドラゴンフルーツ、3.サトウキビ（二箇所）を栽培した。
【００８９】
（実施例１）
作物：タンカン
施肥する側の樹一本あたり１ｋｇの施肥を行って経過をみた。
施肥５０日後、施肥していないものは、まだ葉が黄色く、葉の全体量が少なかった。また、果実の直径も４ｍｍ程度であった。
これに対し、施肥したものは、葉が青々として、葉の量も多かった。また、果実の直径は８ｍｍ程度になっていた。
【００９０】
（実施例２）
作物：ドラゴンフルーツ
施肥する側の樹一本あたり５ｋｇの施肥を行って経過をみた。
施肥１２０日後、施肥したものと施肥していないものを同様に収穫した。施肥したものの収穫量は施肥していないものの約４倍であった。また、施肥したもののは施肥していないものと食べ比べて明確にわかるほど糖度が高かった。
【００９１】
（実施例３）
作物：サトウキビ
１０アール当たり６００ｋｇの施肥を行って経過をみた。
施肥９０日後、施肥をしていないものは高さが１８０ｃｍ程度、幹の太さは３ｃｍ程度、葉の幅は４ｃｍ程度であった。
これに対し、施肥したものは２００〜２３０ｃｍ程度、幹の太さは４〜４．５ｃｍ程度、葉の幅は５．５ｃｍ程度であった。
【００９２】
（実施例４）
作物：サトウキビ
圃場：沖縄県名護市天仁屋地区のやせ地。
１０アール当たり３０００ｋｇの施肥を行って経過をみた。
従来の有機堆肥を施肥したものと本発明の堆肥を施肥したものを施肥１８０日後にそれぞれ１０株を採取してブリックスと糖度を計った。また、予想収量も算出した（表２参照）。
なお、生育状態は、従来の有機堆肥を施肥したものはすでに成熟していたが、本発明の堆肥を施肥したものは未だ成長過程にあった。収穫は６０日後が適当と思われた。
【００９３】
【表２】
2004244305.tif 000004
【００９４】
なお、ブリックスとは、搾汁液の中に溶けていて乾燥させると固まる物質（可溶性固形分）の割合のことであり、この中には砂糖（サッカロース）やグルコース等の糖類の他に灰分やカルシウム等の栄養成分も含まれている。
【００９５】
（評価）
上記各実施例からわかるように、本発明に係る堆肥を適量施肥することによって土壌の地力を向上させることができ、作物の生育が良好となり、糖度が高い等良質の作物を育成できた。また、作物の収穫量も増やすことができた。
【００９６】
なお、本明細書で使用している用語と表現は、あくまで説明上のものであって限定的なものではなく、上記用語、表現と等価の用語、表現を除外するものではない。即ち、上記実施の形態においては、堆肥製造の場合について説明をしてきたが、糞尿の処理の場合も同様にして処理できるので、その場合は、堆肥製造に関する用語と表現を糞尿の処理に関する用語と表現に変えればよい。
また、本発明は図示されている実施の形態に限定されるものではなく、技術思想の範囲内において種々の変形が可能である。
【図面の簡単な説明】
【００９７】
【図１】本発明に係る堆肥製造装置の一実施の形態を示す概略平面図。
【図２】堆肥製造装置の一実施の形態を示す概略側面図。
【図３】糞尿攪拌装置の構造を示す正面視断面説明図。
【図４】糞尿攪拌装置の構造を示す平面視説明図。
【図５】糞尿攪拌装置の構造を示す側面視説明図。
【図６】図３におけるＡ−Ａ部分断面図。
【図７】二基の糞尿攪拌装置にウォラストナイトを選択的に投入するロータリーバルブ装置の一部断面説明図。
【図８】糞尿反応機の構造を示す断面説明図。
【図９】鶏糞反応機の構造を示す正面視断面説明図。
【図１０】鶏糞反応機の構造を示す平面視断面説明図。
【図１１】鶏糞反応機の構造を示す側面視断面説明図。
【図１２】鶏糞反応機の取り出し蓋の開閉構造を示す説明図。
【図１３】本発明に係る堆肥製造プラントの概略を示す平面図。
【符号の説明】
【００９８】
Ａ  堆肥製造装置
１、１ａ  糞尿攪拌装置
１０  攪拌タンク
１０１  上面板
１０２  導入管
１０３  ハッチ
１０４  取付管
１０５  底面板
１０６  排出管
１０７  バルブ
１０８  送給管
１０９  供給管
１１０  側面板
１１１  ステー
１１２  連結管
１２  攪拌機
１２０  モータ
１２１  回転軸
１２２  攪拌スクリュー
１２３  攪拌制御体
２  糞尿反応機
２０  スクリューコンベヤ
２０１  円管
２０２  スクリュー
２１  モータ
２２  導入管
２３  硫酸導入管
２３０  側壁
２３１  邪魔板
２４  継手
２５  固定金具
２６  接続管
２７  スクリューコンベヤ
３  鶏糞反応機
３０  攪拌機
３１  ウォラストナイト供給装置
３１０  ウォラストナイトタンク
３１１  スクリューコンベヤ
３１２  モータ
３２  濃硫酸供給装置
３２０  濃硫酸タンク
３２１  送給管
３２２  ポンプ
３３  攪拌槽
３３０  取出口
３３１  蓋体
３３２  ガイド
３３３  油圧シリンダ
３３５  台部材
３４  支脚部材
３５  蓋体
３５０  ガスダンパー
３６  スクリュー攪拌機
３６０  軸受
３６１  スクリュー
３６２  モータ
３６３  減速機
３７  送給管
３７０  ブロワ
４  発酵装置
４０  発酵槽
４１  移動攪拌装置
５  輸送用コンテナ
６  糞尿供給装置
６０  糞尿タンク
６１  送給管
６２  切替バルブ
６３、６４  送給管
６５  供給管
６５０  ブロワ
７  ウォラストナイト供給装置
７０  ウォラストナイトタンク
７１  送給コンベヤ
７２  分給装置
７２０  ハウジング
７２１、７２２  周壁
７２３  導入口
７２４、７２５  排出口
７２３ａ  導入管
７２４ａ、７２５ａ  排出管
７２６  切替弁
７２６ａ  短弁部
７２６ｂ  長弁部
７２７  回転弁
７２７ａ  回転軸管
７２７ｂ  弁板
７３  サイクロン
７３０  排出管
７３１  ブロワ
８  濃硫酸供給装置
８０  濃硫酸タンク
８１  送給管
８２  ポンプ
８３  注入管
８３０  分岐管
９  フレーム
９０  支柱
９１  連結部材
９４  底板
９２  作業足場
９３  手摺り
【図１】
2004244305.tif 000005
【図２】
2004244305.tif 000006
【図３】
2004244305.tif 000007
【図４】
2004244305.tif 000008
【図５】
2004244305.tif 000009
【図６】
2004244305.tif 000010
【図７】
2004244305.tif 000011
【図８】
2004244305.tif 000012
【図９】
2004244305.tif 000013
【図１０】
2004244305.tif 000014
【図１１】
2004244305.tif 000015
【図１２】
2004244305.tif 000016
【図１３】
2004244305.tif 000017